(57)【要約】【課題】オペレータが買物客と対面した状況での実際の販売処理に際して操作が必要となるキーを、その販売処理における特定処理を選択するための特定キーの操作も含めて、オペレータに的確に知らせることができ、操作に不慣れなオペレータはもちろん、操作に慣れたオペレータであっても、スムーズで迅速な販売処理が可能な商品販売処理装置およびその制御プログラムを提供する。【解決手段】キーボード３は、商品の販売処理の進行に伴い操作される複数のキーを発光可能に有するとともに、これらキーより操作の頻度が低く且つ商品の販売処理における特定処理を選択するための少なくとも１つの特定キーを発光可能に有する。そして、特定キーを除く各キーを、商品の販売処理の進行に伴う操作の必要性が生じる場面で、選択的に点灯する。さらに、特定キーを、特定処理の受け入れが可能でなくなる場面で点灯する。【選択図】図４
2010231595.tif 000002
【特許請求の範囲】
【請求項１】
商品の販売処理の進行に伴い操作される複数のキーを発光可能に有するとともに、これらキーより操作の頻度が低く且つ商品の販売処理における特定処理を選択するための少なくとも１つの特定キーを発光可能に有するキーボードと、
このキーボードの前記特定キー以外の各キーを、商品の販売処理の進行に伴う操作の必要性が生じる場面で選択的に点灯する第１制御手段と、
前記キーボードの特定キーを、前記特定処理の受け入れが可能となる場面で点灯する第２制御手段と、
を備えることを特徴とする商品販売処理装置。
【請求項２】
前記第１制御手段は、前記特定キー以外の各キーを、商品の販売処理の進行に伴う操作の必要性が生じる場面で選択的に点灯し、この点灯したキーをその操作に応じて消灯する、
前記第２制御手段は、前記特定キーを前記特定処理の受け入れが可能となる場面で点灯し、この点灯した特定キーをその操作に応じて消灯する、
ことを特徴とする請求項１記載の商品販売処理装置。
【請求項３】
前記第１制御手段は、前記特定キー以外の各キーを、商品の販売処理の進行に伴う操作の必要性が生じる場面で選択的に点灯し、この点灯したキーをその操作に応じて消灯するとともに、同点灯したキーを販売処理の進行に伴う操作の必要性が失せた時点で消灯する、
前記第２制御手段は、前記特定キーを前記特定処理の受け入れが可能となる場面で点灯し、同点灯した特定キーをその操作に応じて消灯するとともに、同点灯した特定キーを前記特定処理の受け入れが可能でなくなる場面で消灯する、
ことを特徴とする請求項１記載の商品販売処理装置。
【請求項４】
商品の販売処理の進行に伴い操作される複数のキーおよびこれらキーを発光させるための発光手段を有するコンピュータに、
前記各キーが、商品の販売処理の進行に伴う操作の必要性が生じる場面で選択的に点灯するように、前記発光手段を制御する機能と、
前記点灯したキーが、その操作に応じて消灯するように、前記発光手段を制御する機能と、
前記点灯したキーが、販売処理の進行に伴う操作の必要性が失せた時点で消灯するように、前記発光手段を制御する機能と、
前記各キーのうち、操作の頻度が低く且つ商品の販売処理における特定処理を選択するための少なくとも１つの特定キーが、その前記特定処理の受け入れが可能となる場面で点灯するように、前記発光手段を制御する機能と、
前記点灯した特定キーが、その操作に応じて消灯するように、前記発光手段を制御する機能と、
前記点灯した特定キーが、前記特定処理の受け入れが可能でなくなる場面で消灯するように、前記発光手段を制御する機能と、
を備えることを特徴とする商品販売処理装置の制御プログラム。
【発明の詳細な説明】
【技術分野】
【０００１】
この発明は、商品の販売に使用される電子式キャッシュレジスタやＰＯＳターミナルなどの商品販売処理装置およびその制御プログラムに関する。
【背景技術】
【０００２】
商品の販売に使用される電子式キャッシュレジスタやＰＯＳターミナルなどの商品販売処理装置には、多数のキーが設けられている。オペレータがこれらのキーを買物客と対面した状況でスムーズに操作するには、ある程度の熟練が必要である。操作に不慣れなオペレータにとっては、操作したいキーがどこにあるのか分からないなど、操作に手間取り、買物客に迷惑をかけることが多い。
【０００３】
一方、買物客へのコマーシャルメッセージをオペレータが取扱説明書を見ながらキー入力する際に、キー操作の手順を記憶しておき、次回のコマーシャルメッセージのキー入力時、オペレータが取扱説明書を見ないですむよう、記憶した手順に従い各キーを順に発光させるようにした商品販売処理装置が知られている（例えば特許文献１）。
【発明の概要】
【発明が解決しようとする課題】
【０００４】
商品販売処理装置には、商品の販売処理の進行に伴い操作されるテンキーや小計キーなどのほかに、これらキーより操作の頻度が低く且つ商品の販売処理における特定処理を選択するためのいわゆる特定キーとして、商品券キー、金券キー、割引キー、値引キーなどが存在する。
【０００５】
このような特定キーは、上記特定処理の受け入れが可能となる場面で操作されるが、もともと操作の頻度が少ないため、操作に不慣れなオペレータはもちろん、操作に慣れたオペレータであっても、存在そのものを知らなかったり、知っていてもキー位置が分からないなど、操作に手間取ることが多い。
【０００６】
上記コマーシャルメッセージをキー入力する商品販売処理装置の場合、前回のキー操作の手順に従って各キーを点灯させるだけで、オペレータが買物客と対面した状況での実際の販売処理に際して必要となるキーの操作、とくに臨機応変的な操作が要求される特定キーの操作については、何も補助できない。
【０００７】
この発明は、上記の事情を考慮したもので、オペレータが買物客と対面した状況での実際の販売処理に際して操作が必要となるキーを、その販売処理における特定処理を選択するための特定キーの操作も含めて、オペレータに的確に知らせることができ、操作に不慣れなオペレータはもちろん、操作に慣れたオペレータであっても、スムーズで迅速な販売処理が可能な商品販売処理装置およびその制御プログラムを提供することを目的とする。
【課題を解決するための手段】
【０００８】
請求項１に係る発明の商品販売処理装置は、商品の販売処理の進行に伴い操作される複数のキーを発光可能に有するとともに、これらキーより操作の頻度が低く且つ商品の販売処理における特定処理を選択するための少なくとも１つの特定キーを発光可能に有するキーボードと、このキーボードの前記特定キー以外の各キーを、商品の販売処理の進行に伴う操作の必要性が生じる場面で選択的に点灯する第１制御手段と、前記キーボードの特定キーを、前記特定処理の受け入れが可能となる場面で点灯する第２制御手段と、を備える。
【発明の効果】
【０００９】
この発明の商品販売処理装置およびその制御プログラムによれば、オペレータが買物客と対面した状況での実際の販売処理に際して操作が必要となるキーを、その販売処理における特定処理を選択するための特定キーの操作も含めて、オペレータに的確に知らせることができ、操作に不慣れなオペレータはもちろん、操作に慣れたオペレータであっても、スムーズで迅速な販売処理が可能となる。
【図面の簡単な説明】
【００１０】
【図１】この発明の一実施形態の外観を示す斜視図。
【図２】一実施形態におけるキーボードの具体的な構成を示す図。
【図３】一実施形態の制御回路を示すブロック図。
【図４】一実施形態の作用を説明するためのフローチャート。
【発明を実施するための最良の形態】
【００１１】
以下、この発明の一実施形態について図面を参照して説明する。商品販売処理装置たとえばＰＯＳ（Point Of Sales）ターミナルを図１に示す。  
ＰＯＳターミナル１は、現金等を収容するためのドロワ２の上に載置され、このドロワ２の引出し２ａの開閉を制御する。ＰＯＳターミナル１の本体には、正面側にキーボード３、モードスイッチ４、カードリーダ５、およびオペレータ表示器（カラー液晶表示器）６が設けられ、背面側に客面表示器（表示手段；カラー液晶表示器）７が設けられている。また、ＰＯＳターミナル１の本体には、ジャーナルを電子媒体に保存する電子ジャーナル８、およびレシート及びジャーナルをプリントするプリンタ９が設けられている。さらに、ＰＯＳターミナル１から商品情報入力手段としてバーコードスキャナ１０が導出されている。バーコードスキャナ１０は、商品に付されているラベルのバーコードを光学的に読取る。
【００１２】
上記キーボード３は、図２に示すように多数のキーを配列したもので、商品の販売処理の進行に伴い操作されるテンキー１１、金額／登録キー１２、小計キー１３、預／現計キー１４などを発光可能に有するとともに、これらキーより操作の頻度が低く且つ商品の販売処理における特定処理を選択するためのいわゆる特定キーとして、商品券キー１５、金券キー１６、値引キー１７．割引キー１８などを発光可能に有する。各キーおよび特定キーを発光させるための発光手段として、後述の発光ダイオード３ａがそれぞれのキーの内側に設けられている。その発光ダイオード３ａが発光すると、その光がキーの部材を透過照明して、キーそのものが点灯する。なお、上記テンキー１１は、金額などを置数するためのいわゆる置数キーを有するとともに、置数データや入力内容をクリアするためのクリアキー（Ｃキーともいう）１１ａを付属して備える。
【００１３】
制御回路を図３に示す。  
ＣＰＵ（Central Processing Unit）２０およびチップセット２１に、商品販売処理を実行するマイクロコンピュータ２２が接続される。そして、マイクロコンピュータ２２に、ハードディスクドライブ（ＨＤＤ）３１、ファームウェアメモリ３２、バックアップ用メモリ３３、バーコードスキャナ１０、キーボード３、客面表示器７、Ｉ／Ｏ（Input／Output）ポート３４、カードリーダ５、オペレータ表示器６、電子ジャーナル８、およびプリンタ９が接続される。キーボード３は、上記各キーを透過照明するための複数の光源たとえば発光ダイオード３ａを有する。
【００１４】
上記ハードディスクドライブ３１には、マイクロコンピュータ２２の動作に必要なオペレーティングシステム（ＯＳ）およびアプリケーションプログラムが格納されている。ファームウェアメモリ３２には、マイクロコンピュータ２２の少なくとも商品販売処理に必要な制御プログラムであるいわゆるファームウェアが格納されている。
【００１５】
そして、マイクロコンピュータ２２は、主要な機能として、次の（１）（２）の手段を有する。  
（１）特定キー以外の各キーを、商品の販売処理の進行に伴う操作の必要性が生じる場面で選択的に点灯し、この点灯したキーをその操作に応じて消灯するとともに、同点灯したキーを販売処理の進行に伴う操作の必要性が失せた時点で消灯する第１制御手段。
【００１６】
（２）特定キーを、商品の販売処理における特定処理の受け入れが可能となる場面で点灯し、同点灯した特定キーをその操作に応じて消灯するとともに、同点灯した特定キーを特定処理の受け入れが可能でなくなる場面で消灯する第２制御手段。
【００１７】
つぎに、図４のフローチャートを参照しながら作用について説明する。  
買物客の持込み商品がバーコードスキャナ１０によりスキャンされると（ステップ１０１のＹＥＳ）、キーボード３における特定キーである値引キー１７および割引キー１８が点灯し、かつ小計キー１３が点灯する（ステップ１０２）。ここでの値引キー１７および割引キー１８の点灯は、商品の販売処理における特定処理である値引処理および割引処理の受け入れが可能な場面であることをオペレータに知らせるためのものである。小計キー１３の点灯は、スキャンの完了後で操作すべきは小計キー１３であることをオペレータに知らせるためのものである。そして、これら値引キー１７、割引キー１８、小計キー１３の操作の有無が判定される（ステップ１０３，１１１，１１９）。
【００１８】
値引キー１７が操作されると（ステップ１０３のＹＥＳ）、値引キー１７が消灯し（ステップ１０４）、テンキー（置数キー）１１およびクリアキー１１ａが点灯する（ステップ１０５）。オペレータは、テンキー１１が点灯したことで、値引き額を数値入力するために、テンキー１１の操作が必要なことを察知する。
【００１９】
続いて、テンキー１１が操作されると（ステップ１０６のＹＥＳ）、金額／登録キー１２が点灯する（ステップ１０７）。この金額／登録キー１２の点灯は、値引き額の数値入力が完了した後で操作すべきは金額／登録キー１２であることをオペレータに知らせるためのものである。そして、金額／登録キー１２が操作されると（ステップ１０８のＹＥＳ）、テンキー１１、クリアキー１１ａ、金額／登録キー１２、および割引キー１８が消灯する（ステップ１０９）。ここでのテンキー１１、クリアキー１１ａ、金額／登録キー１２の消灯は、その各キーの操作の必要性が失せたことをオペレータに知らせるためのものである。割引キー１８の消灯は、割引処理の受け入れが可能でなくなる場面となったことをオペレータに知らせるためのものである。この場合、点灯しているのは小計キー１３のみとなる。オペレータは、次に操作すべきが小計キー１３であることを察知する。
【００２０】
なお、オペレータは、テンキー１１の操作による値引き額の数値入力を間違えた場合、点灯中のクリアキー１１ａを操作することで（ステップ１１０のＹＥＳ）、値引き額の数値を再入力することができる。この場合、金額／登録キー１２が点灯中であれば、クリアキー１１ａの操作に伴い、金額／登録キー１２が消灯する（ステップ１１１）。この消灯は、金額／登録キー１２の操作の必要性が失せたことをオペレータに知らせるためのものである。この後、テンキー１１が操作されると（ステップ１０６のＹＥＳ）、再び、金額／登録キー１２が点灯する（ステップ１０７）。
【００２１】
一方、スキャンの後で割引キー１８が操作されると（ステップ１１２のＹＥＳ）、割引キー１８が消灯し（ステップ１１３）、テンキー１１およびクリアキー１１ａが点灯する（ステップ１１４）。オペレータは、テンキー１１が点灯したことで、割引き率を数値入力するために、テンキー１１の操作が必要なことを察知する。
【００２２】
続いて、テンキー１１が操作されると（ステップ１１５のＹＥＳ）、金額／登録キー１２が点灯する（ステップ１１６）。この金額／登録キー１２の点灯は、割引き率の数値入力が完了した後で操作すべきは金額／登録キー１２であることをオペレータに知らせるためのものである。そして、金額／登録キー１２が操作されると（ステップ１１７のＹＥＳ）、テンキー１１、クリアキー１１ａ、金額／登録キー１２、および値引キー１７が消灯する（ステップ１１８）。ここでのテンキー１１、クリアキー１１ａ、金額／登録キー１２の消灯は、その各キーの操作の必要性が失せたことをオペレータに知らせるためのものである。値引キー１７の消灯は、値引処理の受け入れが可能でなくなる場面となったことをオペレータに知らせるためのものである。この場合、点灯しているのは小計キー１３のみとなる。オペレータは、次に操作すべきが小計キー１３であることを察知する。
【００２３】
なお、オペレータは、テンキー１１の操作による割引き率の数値入力を間違えた場合、点灯中のクリアキー１１ａを操作することで（ステップ１１９のＹＥＳ）、代金の数値を再入力することができる。この場合、金額／登録キー１２が点灯中であれば、クリアキー１１ａの操作に伴い、金額／登録キー１２が消灯する（ステップ１２０）。この消灯は、金額／登録キー１２の操作の必要性が失せたことをオペレータに知らせるためのものである。この後、テンキー１１が操作されると（ステップ１１５のＹＥＳ）、再び、金額／登録キー１２が点灯する（ステップ１１６）。
【００２４】
小計キー１３が操作されると（ステップ１２１のＹＥＳ）、小計キー１３が消灯し（ステップ１２２）、テンキー１１およびクリアキー１１ａが点灯する（ステップ１２３）。オペレータは、テンキー１１が点灯したことで、買物客から受け取る購入代金を数値入力するために、テンキー１１の操作が必要なことを察知する。
【００２５】
続いて、テンキー１１が操作されると（ステップ１２４のＹＥＳ）、特定キーである金券キー１６および商品券キー１５が点灯し、かつ預／現計キー１４が点灯する（ステップ１２５）。ここでの金券キー１６および商品券キー１５の点灯は、商品の販売処理における特定処理である金券処理および商品券処理の受け入れが可能な場面であることをオペレータに知らせるためのものである。
【００２６】
オペレータは、買物客が金券による購入を希望する場合、金券処理を選択するために金券キー１６を操作する。買物客が商品券による購入を希望する場合、商品券処理を選択するために商品券キー１５を操作する。買物客が現金による購入を希望する場合は、預／現計キー１４を操作する。金券キー１６、商品券キー１５、預／現計キー１４のいずれかが操作されると（ステップ１２６のＹＥＳ）、点灯中の金券キー１６、商品券キー１５、預／現計キー１４、テンキー１１、クリアキー１１ａの全てが消灯し（ステップ１２７）、つり銭計算およびレシート発行の処理が実行される（ステップ１２８）。ここでの預／現計キー１４、テンキー１１、クリアキー１１ａの消灯は、その各キーの操作の必要性が失せたことをオペレータに知らせるためのものである。金券キー１６および商品券キー１５の消灯は、金券処理および商品券処理の受け入れが可能でなくなる場面となったことをオペレータに知らせるためのものである。
【００２７】
なお、オペレータは、テンキー１１の操作による代金の数値入力を間違えた場合、点灯中のクリアキー１１ａを操作することで（ステップ１２９のＹＥＳ）、代金の数値を再入力することができる。この場合、金券キー１６、商品券キー１５、預／現計キー１４が点灯中であれば、クリアキー１１ａの操作に伴い、金券キー１６、商品券キー１５、預／現計キー１４が消灯する（ステップ１３０）。ここでの金券キー１６および商品券キー１５の消灯は、金券処理および商品券処理の受け入れが可能でなくなる場面となったことをオペレータに知らせるためのものである。預／現計キー１４の消灯は、預／現計キー１４の操作の必要性が失せたことをオペレータに知らせるためのものである。この後、テンキー１１が操作されると（ステップ１２４のＹＥＳ）、再び、金券キー１６、商品券キー１５、預／現計キー１４が点灯する（ステップ１２５）。
【００２８】
以上のように、キーボード３の複数のキーを商品の販売処理の進行に伴う操作の必要性が生じる場面で選択的に点灯することにより、オペレータが買物客と対面した状況での実際の販売処理に際して操作が必要となるキーを、オペレータに的確に知らせることができる。
【００２９】
しかも、キーボード３の特定キーを特定処理の受け入れが可能となる場面で点灯することにより、特定処理を選択するための特定キーの操作についても、オペレータに的確に知らせることができる。よって、操作に不慣れなオペレータはもちろん、操作に慣れたオペレータであっても、スムーズで迅速な販売処理が可能となる。いわゆるレジ待ちの時間が減少し、買い物客に迷惑をかけないですむ。
【００３０】
なお、上記実施形態では、発光可能なキーとして、テンキー１１、金額／登録キー１２、小計キー１３、預／現計キー１４、商品券キー１５、金券キー１６、値引キー１７、割引キー１８を例に説明したが、それ以外のキーについても、同様に発光可能とすることができる。その他、この発明は上記各実施形態に限定されるものではなく、要旨を変えない範囲で種々変形実施可能である。
【符号の説明】
【００３１】
１…ＰＯＳターミナル、２…ドロワ、３…キーボード、３ａ…発光ダイオード（光源）、５…カードリーダ、６…オペレーティング表示器、７…客面表示器、８…電子ジャーナル、９…プリンタ、１０…バーコードスキャナ、１１…テンキー、１２…金額／登録キー、１３…小計キー、１４…預／現計キー、１５…商品券キー（特定キー）、１６…金券キー（特定キー）、１７…値引キー（特定キー）、１８…割引キー（特定キー）、２０…ＣＰＵ、２１…チップセット、２２…マイクロコンピュータ、３２…ファームウェアメモリ、
【先行技術文献】
【特許文献】
【００３２】
【特許文献１】特開平３−２２４０９５号公報
【図１】
2010231595.tif 000003
【図２】
2010231595.tif 000004
【図３】
2010231595.tif 000005
【図４】
2010231595.tif 000006